(57)【要約】【課題】有効な使用体験を提供することができるスマートヘルメットを提供すること。【解決手段】本発明に係るスマートヘルメットは、無線伝送モジュールと、イヤホンと、マイクロプロセッサと、投影モジュールと、を備える。無線伝送モジュールは、スマートヘルメットと外部装置とを接続して、スマートヘルメットと外部装置との間でデータの交換を行ない、イヤホンは、オーディオ信号を送受信し、投影モジュールは、マイクロプロジェクター及び投影プレートを含み、投影プレートは、スマートヘルメットの半透明マスクであり、マイクロプロジェクターは、半透明マスクに映像を投影し、マイクロプロセッサは、スマートヘルメットに装着されたカメラ又はＧＰＳからのデータ及び外部装置からのデータを処理して、処理された後のデータをイヤホン又はマイクロプロジェクターに伝送する。【選択図】図２
2015094062.tif 000002
【特許請求の範囲】
【請求項１】
無線伝送モジュールと、イヤホンと、マイクロプロセッサと、投影モジュールと、を備えるスマートヘルメットであって、
前記無線伝送モジュールは、前記スマートヘルメットと外部装置とを接続して、前記スマートヘルメットと前記外部装置との間でデータの交換を行ない、
前記イヤホンは、オーディオ信号を送受信し、
前記投影モジュールは、マイクロプロジェクター及び投影プレートを含み、
前記投影プレートは、前記スマートヘルメットの半透明マスクであり、
前記マイクロプロジェクターは、前記半透明マスクに映像を投影し、
前記マイクロプロセッサは、前記スマートヘルメットに装着されたカメラ又はＧＰＳからのデータ及び前記外部装置からのデータを処理して、処理された後のデータを前記イヤホン又は前記マイクロプロジェクターに伝送することを特徴とするスマートヘルメット。
【請求項２】
前記半透明マスクは、タッチ機能を有することを特徴とする請求項１に記載のスマートヘルメット。
【請求項３】
前記無線伝送モジュールは、ブルートゥース（登録商標）又はＷｉ−Ｆｉ（登録商標）であることを特徴とする請求項１に記載のスマートヘルメット。
【請求項４】
前記カメラは、道路情報を取得し、前記ＧＰＳは、位置情報を取得することを特徴とする請求項１に記載のスマートヘルメット。
【請求項５】
前記マイクロプロセッサは、前記道路情報、前記位置情報、及び前記外部装置から受信した情報を処理して前記イヤホン及び前記マイクロプロジェクターに伝送し、さらに処理された後の情報をオーディオ及び映像の方式でユーザに伝えることを特徴とする請求項４に記載のスマートヘルメット。
【請求項６】
前記スマートヘルメットは、電源供給ユニットをさらに備え、前記電源供給ユニットは、太陽エネルギーによって充電されることを特徴とする請求項１に記載のスマートヘルメット。
【発明の詳細な説明】
【技術分野】
【０００１】
本発明は、スマートヘルメットに関し、より詳しくは電子装置と無線接続されたスマートヘルメットに関する。
【背景技術】
【０００２】
電子技術の発展に伴って、着用型の電子製品も発展している。従来のヘルメットは、利用者の頭を保護する機能しか備えておらず、電話を受けたり、映像を見たりすることができなかった。従って、現在、ヘルメット装着者の頭を安全に保護することができ、且つ有効な使用体験を提供することができるヘルメットの開発が期待されている。
【発明の概要】
【発明が解決しようとする課題】
【０００３】
以上の問題点に鑑みて、本発明は、有効な使用体験を提供することができるスマートヘルメットを提供することを目的とする。
【課題を解決するための手段】
【０００４】
上記の課題を解決するために、本発明に係るスマートヘルメットは、無線伝送モジュールと、イヤホンと、マイクロプロセッサと、投影モジュールと、を備える。無線伝送モジュールは、スマートヘルメットと外部装置とを接続して、スマートヘルメットと外部装置との間でデータの交換を行なう。イヤホンは、オーディオ信号を送受信する。投影モジュールは、マイクロプロジェクター及び投影プレートを含む。投影プレートは、スマートヘルメットの半透明マスクである。マイクロプロジェクターは、半透明マスクに映像を投影する。マイクロプロセッサは、スマートヘルメットに装着されたカメラ又はＧＰＳからのデータ及び外部装置からのデータを処理して、処理されたデータをイヤホン又はマイクロプロジェクターに伝送する。
【発明の効果】
【０００５】
本発明に係るスマートヘルメットは、従来の技術とは異なり、無線伝送モジュールを介して外部装置に接続されるため、電話を受けることができると共に、マイクロプロジェクターを介して必要な映像を半透明マスクに投影することができる。このため、本発明に係るスマートヘルメットの装着者は、スマートヘルメットを利用して、前方の道路情報を観察することができると共に、半透明マスクに投影された映像も見ることができる。
【図面の簡単な説明】
【０００６】
【図１】本発明の実施形態に係るスマートヘルメットの機能モジュールを示す図である。
【図２】図１に示したスマートヘルメットの構造を示す図である。
【発明を実施するための形態】
【０００７】
図１に示すように、本発明の実施形態に係るスマートヘルメット１００は、マイクロプロセッサ１０と、無線伝送モジュール２０と、カメラ３０と、グローバルポジショニングシステム（以下、ＧＰＳと略称する）４０と、イヤホン５０と、投影モジュール６０と、タッチパネル７０と、を備える。
【０００８】
マイクロプロセッサ１０は、無線伝送モジュール２０、カメラ３０、ＧＰＳ４０、イヤホン５０、投影モジュール６０及びタッチパネル７０にそれぞれ電気的に接続されており、データを処理することに用いられる。
【０００９】
無線伝送モジュール２０は、スマートヘルメット１００と外部装置とを無線接続しており、スマートヘルメット１００と外部装置との間の無線データ伝送を実現する。本実施形態において、無線伝送モジュール２０は、ブルートゥース（登録商標）及びＷｉ−Ｆｉ（登録商標）等である。外部装置は、携帯電話機及びタブレットＰＣ等である。
【００１０】
図２に示すように、カメラ３０は、第一カメラ素子３１及び第二カメラ素子３２を備え、道路情報を取得することに用いられる。第一カメラ素子３１は、スマートヘルメット１００のフロント側の上部に装着されており、前方の道路情報を取得する。第二カメラ素子３２は、スマートヘルメット１００の後方に装着されており、後方の道路情報を取得する。
【００１１】
ＧＰＳ４０は、位置情報を取得して、取得した位置情報をマイクロプロセッサ１０に伝送する。マイクロプロセッサ１０は、ＧＰＳ４０からの位置情報を、処理した後に、イヤホン５０又は投影モジュール６０に送信して、音声又は映像の方式で前記位置情報をユーザに伝える。
【００１２】
イヤホン５０は、オーディオ信号を送受信することに用いられる。本実施形態において、イヤホン５０は、骨伝導イヤホンであり、且つスピーカー５１及びマイク５２を備える。骨伝導イヤホンは、騒音環境下でも音をはっきりと聞くことができる。イヤホン５０は、無線伝送モジュール２０を介して携帯電話機と無線接続を行なって電話を受けることができるため、ユーザに大きな利便性をもたらす。
【００１３】
投影モジュール６０は、マイクロプロジェクター６１及び投影プレート６２を備える。投影プレート６２は、弧状を呈しており、スマートヘルメット１００の半透明マスクとして機能する。マイクロプロジェクター６１は、映像を、投影プレート６２に直接的に投影し、且つユーザの目の位置に対応する投影プレート６２上に結像する。従って、ユーザは、投影プレート６２によって、映像を見ることができると共に、前方の道路情報も見ることができる。マイクロプロジェクター６１が投射した映像は、ＧＰＳ４０のナビゲーション情報及び外部装置が無線伝送モジュール２０を介してスマートヘルメット１００に伝送した文字又は画像情報等とすることができる。操作の利便性を高めるために、投影プレート６２はさらにタッチ機能を有することが好ましい。
【００１４】
タッチパネル７０は、スマートヘルメット１００の側部に設けられており、投影プレート６２を補助することに用いられて、操作の利便性をさらに高める。つまり、スマートヘルメット１００を装着している人は、タッチパネル７０を介して投影プレート６２をコントロールすることができる。
【００１５】
また、スマートヘルメット１００は、電源供給ユニット（図示省略）をさらに備える。電源供給ユニットは、スマートヘルメット１００を動作させるための電力を供給する。エネルギーを節約するために、電源供給ユニットは、太陽エネルギーによって充電されることが好ましい。
【００１６】
以下、スマートヘルメット１００の動作過程について詳細に説明する。具体的には、スマートヘルメット１００は、無線伝送モジュール２０を介して携帯電話機又はタブレットＰＣ等の外部装置に接続されており、外部装置とデータの交換を行なう。これにより、スマートヘルメット１００のイヤホン５０は、電話を受けることができる。カメラ３０は、道路情報を取得する。ＧＰＳ４０は、位置情報を取得する。カメラ３０及びＧＰＳ４０は、それぞれ取得した情報をマイクロプロセッサ１０に伝送して、マイクロプロセッサ１０により前記情報を処理した後に、イヤホン５０によって前記情報をオーディオの形式でユーザまで伝える又はマイクロプロジェクター６１によって前記情報をスマートヘルメット１００の半透明マスク（投影プレート６２）に投影する。これにより、ユーザは、スマートヘルメット１００の半透明マスクによって、前方の道路情報を見ることができると共に、前記半透明マスクに投影された映像も見ることができる。
【００１７】
上記の説明から分かるように、本発明に係るスマートヘルメット１００は、無線伝送モジュール２０を介して外部装置に接続されるため、電話を受けることができ、且つマイクロプロジェクター６１を介して必要な映像をフロント側の半透明マスクに投影することができる。これによって、本発明に係るスマートヘルメット１００の装着者は、スマートヘルメット１００を利用して、前方の道路情報を見ることができると共に、前記半透明マスクに投影された映像も見ることができる。
【符号の説明】
【００１８】
１００  スマートヘルメット
１０  マイクロプロセッサ
２０  無線伝送モジュール
３０  カメラ
３１  第一カメラ素子
３２  第二カメラ素子
４０  ＧＰＳ
５０  イヤホン
５１  スピーカー
５２  マイク
６０  投影モジュール
６１  マイクロプロジェクター
６２  投影プレート
７０  タッチパネル
【図１】
2015094062.tif 000003
【図２】
2015094062.tif 000004